(57)【要約】      （修正有）【課題】開閉用押しボタンによる開閉カバーの開放操作を比較的少ない力で実行可能とし、開閉用押しボタンやカバーロックなどの部品の摩耗や損傷を回避可能としたプリンターの開閉カバー開閉装置を提供する。【解決手段】開閉用押しボタン４３を回動方式とすることに着目し、プリンターハウジング２に対して開閉する開閉カバー３と、印字ヘッド（サーマルヘッド７）と、プラテンローラー８と、を有し、開放用押しボタン４３をプリンターハウジング２あるいは開閉カバー３に対して回動可能とし、印字ヘッド７あるいはプラテンローラー８を取り付けたカバーロック５０に当接傾斜プレート５１を一体形成して、開放用押しボタン４３の回動により、当接傾斜プレート５１を介して印字ヘッド７およびプラテンローラー８を互いに離反可能とする。【選択図】図４
2014188705.tif 000002
【特許請求の範囲】
【請求項１】
プリンターハウジングと、
このプリンターハウジングに対して開閉する開閉カバーと、
前記プリンターハウジングあるいはこの開閉カバーのいずれか一方に取り付けるとともに、前記プリンターハウジングに装填される印字用紙に印字可能な印字ヘッドと、
前記開閉カバーあるいは前記プリンターハウジングのいずれか他方に取り付けるとともに、この印字ヘッドとの間に前記印字用紙を挟持して回転することにより前記印字用紙を移送可能なプラテンローラーと、
このプラテンローラーおよび前記印字ヘッドを互いに離反させるように操作する開放用押しボタンと、を有するプリンターの開閉カバー開閉装置であって、
前記開放用押しボタンを前記プリンターハウジングあるいは前記開閉カバーのいずれか一方に対して回動可能とし、
前記印字ヘッドあるいは前記プラテンローラーのいずれか一方を取り付けたカバーロックに当接傾斜プレートを一体形成して、この当接傾斜プレートを前記開放用押しボタンに対向させ、
前記開放用押しボタンの回動により、この当接傾斜プレートを介して前記印字ヘッドおよび前記プラテンローラーを互いに離反可能としたことを特徴とするプリンターの開閉カバー開閉装置。
【請求項２】
前記カバーロックの前記当接傾斜プレートは、前記開放用押しボタンの前記プリンターハウジングあるいは前記開閉カバーのいずれか一方に対する当初の押込み方向に対して傾斜していることを特徴とする請求項１記載のプリンターの開閉カバー開閉装置。
【請求項３】
前記カバーロックの前記当接傾斜プレートは、前記開放用押しボタンの裏面側に対して接近する方向に傾斜していることを特徴とする請求項１または２記載のプリンターの開閉カバー開閉装置。
【請求項４】
前記開放用押しボタンは、その裏面側に位置して押込み用突出部を形成しているとともに、
この押込み用突出部が前記カバーロックの前記当接傾斜プレートに対向していることを特徴とする請求項１ないし３のいずれかに記載のプリンターの開閉カバー開閉装置。
【請求項５】
前記カバーロックは、前記開放用押しボタンの第１の回動方向に対して、この第１の回動方向とは反対方向の第２の回動方向に回動することを特徴とする請求項１ないし４のいずれかに記載のプリンターの開閉カバー開閉装置。
【請求項６】
前記開放用押しボタンは、前記プリンターハウジングあるいは前記開閉カバーのいずれか一方に向かって操作するボタン本体と、このボタン本体に一体に形成したそのボタン軸およびボタン付勢スプリングと、を有することを特徴とする請求項１ないし５のいずれかに記載のプリンターの開閉カバー開閉装置。
【請求項７】
前記カバーロックに設けたヘッド付勢スプリングにより前記印字ヘッドを前記プラテンローラーに所定印字圧で押圧可能としているとともに、
前記開放用押しボタンは、このヘッド付勢スプリングの付勢力に抗して前記カバーロックを回動させ、前記印字ヘッドおよび前記プラテンローラーを互いに離反可能としていることを特徴とする請求項１ないし６のいずれかに記載のプリンターの開閉カバー開閉装置。
【請求項８】
前記印字ヘッドは、これを前記プリンターハウジングに取り付けるとともに、前記プラテンローラーは、これを前記開閉カバーに取り付けることを特徴とする請求項１ないし７のいずれかに記載のプリンターの開閉カバー開閉装置。
【請求項９】
前記開放用押しボタンは、前記プリンターハウジングに対してこれを回動可能としていることを特徴とする請求項１ないし８のいずれかに記載のプリンターの開閉カバー開閉装置。
【請求項１０】
前記印字ヘッドは、これを前記カバーロックに取り付けることを特徴とする請求項１ないし８のいずれかに記載のプリンターの開閉カバー開閉装置。
【発明の詳細な説明】
【技術分野】
【０００１】
本発明はプリンターの開閉カバー開閉装置にかかるもので、とくに開閉カバーを開閉する操作性を改善したプリンターの開閉カバー開閉装置に関するものである。
【背景技術】
【０００２】
従来から、卓上型プリンターや携帯式プリンターなど各種のプリンターに帯状のラベル連続体その他の印字用紙を装填するために、開閉カバーなどを開放して、そのプリンターハウジング内に印字用紙を収納する必要がある。
この開閉カバーなどの開放のために操作する開放用押しボタンを設けることが提案されている。
図６にもとづき概説する。
図６は、提案されている開閉カバー開閉装置を備えたプリンター（たとえば携帯式プリンター１）の要部概略断面図であって、携帯式プリンター１は、プリンターハウジング２と、開閉カバー３と、印字部４と、開閉用押しボタン５と、カバーロック６と、を有する。
【０００３】
印字部４は、プリンターハウジング２に取り付けているサーマルヘッド７と、開閉カバー３に取り付けているプラテンローラー８と、を有する。
印字用紙（たとえばラベル連続体９など）をサーマルヘッド７およびプラテンローラー８の間に所定印字圧力（押圧力）で挟持し、サーマルヘッド７の発熱素子７Ａに印字データを供給するとともに、プラテンローラー８を回転駆動することにより、ラベル連続体９に印字し、携帯式プリンター１から外部に移送発行する。
【０００４】
開閉用押しボタン５は、プリンターハウジング２の側面から内方に向かって直角方向に押し込み可能にこれを取り付けている。
【０００５】
カバーロック６は、サーマルヘッド７を固定しているとともに、ヘッド軸１０のまわりにこれを回動可能としてあり、ヘッド付勢スプリング１１の付勢力によりサーマルヘッド７をプラテンローラー８方向に押圧している。
カバーロック６には、断面ほぼ半円弧状のプラテンローラーロック係合部１２を形成し、プラテンローラー８のプラテンローラー軸１３に取り付けたロックピン１４を係脱可能としている。
また、カバーロック６には、被押圧プレート１５を一体形成するとともに、プラテンローラーロック係合部１２の近傍外周側にテーパー面１６を形成している。
【０００６】
このような構成において、開閉用押しボタン５をプリンターハウジング２の内方に向かって押し込むことにより、カバーロック６の被押圧プレート１５を押圧し、ヘッド付勢スプリング１１の付勢力に抗してヘッド軸１０まわりにカバーロック６およびサーマルヘッド７を図６中、反時計方向に回動させる。
カバーロック６の回動操作により、プラテンローラー８のロックピン１４がカバーロック６のプラテンローラーロック係合部１２から外れて、カバー軸１７のまわりに開閉カバー３を開放回動させ、開閉カバー３とともにプラテンローラー８をサーマルヘッド７から離反させ、サーマルヘッド７とプラテンローラー８との間にラベル連続体９を装填可能となる。
【０００７】
プラテンローラー８を開閉カバー３とともに閉鎖する際には、プラテンローラー８のロックピン１４が、まずカバーロック６のテーパー面１６に当接し、ヘッド付勢スプリング１１の付勢力に抗してさらに押し込むことにより、ロックピン１４がプラテンローラーロック係合部１２に係合して、サーマルヘッド７にプラテンローラー８を所定印字圧力で押圧することができる。
【０００８】
しかしながら、開閉用押しボタン５による上述のような開閉カバー３の開放操作においては、カバーロック６の被押圧プレート１５が開放用押しボタン５のプリンターハウジング２内方への押込み方向に直交するように位置しているため、開閉用押しボタン５によるカバーロック６のヘッド軸１０まわりの回動操作に働く分力が比較的小さくて効率的ではない。
すなわち、開閉用押しボタン５による上述のような開閉カバー３の開放操作に、過剰ないしは無理な操作力を必要とするとともに、開閉用押しボタン５およびカバーロック６（被押圧プレート１５）などの部品間の摩耗損傷や破損につながるという問題がある。
プリンターとして、その部品の損傷および破損を回避することは必須であり、とくに、出先で使用する携帯式プリンター１の作業者にとっては、開閉用押しボタン５の押込み操作を簡易に実行可能であることが重要である。
【先行技術文献】
【特許文献】
【０００９】
【特許文献１】特開２００６−１５０８５８号公報
【発明の概要】
【発明が解決しようとする課題】
【００１０】
本発明は以上のような諸問題にかんがみなされたもので、開閉用押しボタンの押込み操作を簡易に実行可能としたプリンターの開閉カバー開閉装置を提供することを課題とする。
【００１１】
また本発明は、開閉用押しボタンやカバーロックなどの部品の摩耗や損傷を回避可能としたプリンターの開閉カバー開閉装置を提供することを課題とする。
【００１２】
また本発明は、開閉用押しボタンによる開閉カバーの開放操作を比較的少ない力で実行可能としたプリンターの開閉カバー開閉装置を提供することを課題とする。
【課題を解決するための手段】
【００１３】
すなわち本発明は、開閉用押しボタンを回動方式とすること、および被押圧プレートをカバーロックに対して傾斜して配置することに着目したもので、 プリンターハウジングと、このプリンターハウジングに対して開閉する開閉カバーと、上記プリンターハウジングあるいはこの開閉カバーのいずれか一方に取り付けるとともに、上記プリンターハウジングに装填される印字用紙に印字可能な印字ヘッドと、上記開閉カバーあるいは上記プリンターハウジングのいずれか他方に取り付けるとともに、この印字ヘッドとの間に上記印字用紙を挟持して回転することにより上記印字用紙を移送可能なプラテンローラーと、このプラテンローラーおよび上記印字ヘッドを互いに離反させるように操作する開放用押しボタンと、を有するプリンターの開閉カバー開閉装置であって、上記開放用押しボタンを上記プリンターハウジングあるいは上記開閉カバーのいずれか一方に対して回動可能とし、上記印字ヘッドあるいは上記プラテンローラーのいずれか一方を取り付けたカバーロックに当接傾斜プレートを一体形成して、この当接傾斜プレートを上記開放用押しボタンに対向させ、上記開放用押しボタンの回動により、この当接傾斜プレートを介して上記印字ヘッドおよび上記プラテンローラーを互いに離反可能としたことを特徴とするプリンターの開閉カバー開閉装置である。
【００１４】
上記カバーロックの上記当接傾斜プレートは、上記開放用押しボタンの上記プリンターハウジングあるいは上記開閉カバーのいずれか一方に対する当初の押込み方向に対して傾斜していることができる。
【００１５】
上記カバーロックの上記当接傾斜プレートは、上記開放用押しボタンの裏面側に対して接近する方向に傾斜していることができる。
【００１６】
上記開放用押しボタンは、その裏面側に位置して押込み用突出部を形成しているとともに、この押込み用突出部が上記カバーロックの上記当接傾斜プレートに対向していることができる。
【００１７】
上記カバーロックは、上記開放用押しボタンの第１の回動方向に対して、この第１の回動方向とは反対方向の第２の回動方向に回動することができる。
【００１８】
上記開放用押しボタンは、上記プリンターハウジングあるいは上記開閉カバーのいずれか一方に向かって操作するボタン本体と、このボタン本体に一体に形成したそのボタン軸およびボタン付勢スプリングと、を有することができる。
【００１９】
上記カバーロックに設けたヘッド付勢スプリングにより上記印字ヘッドを上記プラテンローラーに所定印字圧で押圧可能としているとともに、上記開放用押しボタンは、このヘッド付勢スプリングの付勢力に抗して上記カバーロックを回動させ、上記印字ヘッドおよび上記プラテンローラーを互いに離反可能としていることができる。
【００２０】
上記印字ヘッドは、これを上記プリンターハウジングに取り付けるとともに、上記プラテンローラーは、これを上記開閉カバーに取り付けることができる。
【００２１】
上記開放用押しボタンは、上記プリンターハウジングに対してこれを回動可能としていることができる。
【００２２】
上記印字ヘッドは、これを上記カバーロックに取り付けることができる。
【発明の効果】
【００２３】
本発明によるプリンターの開閉カバー開閉装置においては、開閉用押しボタンをプリンターハウジングあるいは開閉カバーに対して回動方式とするとともに、従来の被押圧プレートに代えて、開閉用押しボタンに対して傾斜する当接傾斜プレートを配置したので、開閉用押しボタンからの操作力がカバーロックの回動に容易に伝達されて、開閉用押しボタンの操作性を向上し、部品の摩耗や損傷を回避することができる。
【図面の簡単な説明】
【００２４】
【図１】本発明の実施例による開閉カバー開閉装置３１を装備した携帯式プリンター２０の斜視図である。
【図２】同、携帯式プリンター２０の開閉カバー３をプリンターハウジング２に対して開放した状態の斜視図である。
【図３】同、携帯式プリンター２０の概略縦断面図である。
【図４】同、開放用押しボタン４３（開閉カバー開閉装置３１）部分の要部断面図である。
【図５】同、開閉カバー開閉装置３１の斜視図である。
【図６】提案されている開閉カバー開閉装置を備えたプリンター（たとえば携帯式プリンター１）の要部概略断面図である。
【発明を実施するための形態】
【００２５】
本発明は、開閉用押しボタンを回動させるとともに、この開閉用押しボタンに対向するカバーロックの被押圧プレート（当接傾斜プレート）を傾斜させて配置したので、開閉用押しボタンの回動力を有効に被押圧プレートおよびカバーロックに伝達して、操作が簡単で、省スペースでの組立てが可能となったプリンターの開閉カバー開閉装置を実現した。
【実施例】
【００２６】
つぎに本発明の実施例によるプリンターの開閉カバー開閉装置を図１ないし図５にもとづき説明する。ただし、図６と同様の部分には同一符号を付し、その詳述はこれを省略する。
図１は、上記プリンターたとえば携帯式プリンター２０の斜視図であって、携帯式プリンター２０は、サーマルプリンターとしてこれを構成してあり、前記プリンターハウジング２および前記開閉カバー３を有する。
図２は、携帯式プリンター２０の開閉カバー３をプリンターハウジング２に対して開放した状態の斜視図、図３は、携帯式プリンター２０の概略縦断面図であって、とくに図３に示すように、携帯式プリンター２０はさらに、前記ラベル連続体９（印字用紙）の供給部２１と、位置検出部２２と、印字部２３と、充電バッテリー２４のバッテリー収納室２５と、アダプター接続端子２６と、入力部２７と、表示部２８と、制御部２９と、電源スイッチ３０と、開閉カバー開閉装置３１と、を有する。
【００２７】
プリンターハウジング２は、作業者が携帯可能な大きさを有し、図３中、上方にベルト掛け部３２を設けて、肩掛けベルト３３により携帯式プリンター２０全体を作業者の肩から吊り下げ可能としている。もちろん、作業者の腰に装着可能とする構成とすることもできる。
さらにプリンターハウジング２には、図３中、下方隅部に位置した前記カバー軸１７のまわりに上記開閉カバー３を開閉可能に設けて、供給部２１へのラベル連続体９の収納および携帯式プリンター２０への装填を可能としている。
【００２８】
ラベル連続体９は、帯状の台紙３４上に複数枚のラベル片３５を仮着した構成である。ラベル片３５は、いわゆるサーマルラベルであって、その表面に感熱発色層を塗工して、印字可能としてある。
供給部２１は、上記ラベル連続体９をロール状に巻いてその内部に収納し、位置検出部２２および印字部２３方向に帯状に繰り出し可能としている。
なお、台紙３４の裏面側には、所定ピッチで位置検出用マーク３６をあらかじめ印刷してある。
【００２９】
位置検出部２２は、開閉カバー３側に取り付けた位置検出センサー３７を有し、ラベル連続体９の裏面側に位置する位置検出用マーク３６を検出して印字部２３に対するラベル連続体９（ラベル片３５）の相対位置を検出可能とする。
【００３０】
印字部２３は、プリンターハウジング２側に取り付けた前記サーマルヘッド７と、開閉カバー３側に取り付けた前記プラテンローラー８と、サーマルヘッド７をプラテンローラー８方向に付勢する前記ヘッド付勢スプリング１１と、駆動モーター３８と、を有する。
プラテンローラー８の前記プラテンローラー軸１３の一方側端部にはプラテンローラーギア３９を設けるとともに、駆動モーター３８の回転を伝達するための連結ギア４０を設け、開閉カバー３のプリンターハウジング２への閉鎖によって、プラテンローラーギア３９と連結ギア４０とを係合させ、駆動モーター３８によりプラテンローラー８を回転駆動可能としている。
【００３１】
すなわち、サーマルヘッド７およびプラテンローラー８の間にラベル連続体９を挟持して、駆動モーター３８によりプラテンローラー８を回転駆動するとともに、制御部２９からサーマルヘッド７に供給した印字データに応じてサーマルヘッド７の発熱素子７Ａを発熱させ、ラベル連続体９（ラベル片３５）にサーマル印字を行う。
【００３２】
充電バッテリー２４は、バッテリー収納室２５に収脱可能であって、印字部２３（サーマルヘッド７および駆動モーター３８など）はもちろん、携帯式プリンター２０全体に電力を供給する。
【００３３】
アダプター接続端子２６は、プリンターハウジング２にこれを設け、外部電源（図示せず）に接続して充電バッテリー２４に充電するためのＡＣアダプター４１を接続する。
【００３４】
入力部２７は、携帯式プリンター２０に必要なデータないしコマンドを入力可能とする。
表示部２８は、入力部２７により入力された情報およびその他必要な情報を表示可能とする。
【００３５】
制御部２９は、電子基板などにこれを設けてあり、上述した位置検出部２２、印字部２３、充電バッテリー２４、アダプター接続端子２６、入力部２７、表示部２８および電源スイッチ３０との間でデータおよびコマンドの授受を行うとともに、これらを適宜制御する。
【００３６】
なお携帯式プリンター２０においては、落下などによる衝撃に対する耐性を確保するために、とくにプリンターハウジング２の表面側に位置している入力部２７、表示部２８、電源スイッチ３０、開閉カバー開閉装置３１、開閉カバー３などを配置している領域面をプリンターハウジング２の他の領域面（図示の例では、プリンターハウジング２の稜縁部）から凹ませるとともに、当該他の領域面にエラストマーその他の衝撃吸収性材料によるクッション材４２を設けている。
また、直方体形状のプリンターハウジング２における他の稜縁部にも同様に、クッション材４２を設けて携帯式プリンター２０全体の耐衝撃性を確保している。
【００３７】
つぎに、プリンターハウジング２には開放用押しボタン４３を設け、本実施例にかかる開閉カバー開閉装置３１は、この開放用押しボタン４３の部分にこれを設けている。
図４は、開放用押しボタン４３（開閉カバー開閉装置３１）部分の要部断面図、図５は、開閉カバー開閉装置３１の斜視図である。
開閉カバー開閉装置３１において、開放用押しボタン４３は、ボタン本体４４と、ボタン本体４４の周縁部の全周をめぐってこれに形成した防水用密着面４５と、ボタン本体４４に一体に形成したそのボタン軸４６および弾性体としてのボタン付勢スプリング４７と、ボタン本体４４の裏面側に突出形成した押込み用突出部４８と、を有する。
【００３８】
ボタン本体４４は、図１および図２に示したようにプリンターハウジング２の表面側に露出する部分であって、携帯式プリンター２０を使用する作業者がプリンターハウジング２の内方（図４中、右方から左方）に向かって押し込む部分である。
【００３９】
防水用密着面４５は、ボタン本体４４より相対的にプリンターハウジング２の内方側に凹んだ状態でこれを形成してプリンターハウジング２の内側に入り込むことができるとともに、プリンターハウジング２の内壁面２Ａに密着可能な平面領域である。
ただし、防水用密着面４５は、とくに図５および図２（点線）に示すように、サーマルヘッド７の長さ方向（ラベル連続体９の幅方向）に沿ってより長く庇のように延びており、サーマルヘッド７の発熱素子７Ａ（図５）のすべてを覆うことができるようにしている。
【００４０】
左右一対のボタン軸４６は、プリンターハウジング２の内部ブラケット（図示せず）にこれを軸着し、ボタン本体４４の押込み操作により、開放用押しボタン４３全体をプリンターハウジング２に対して回動可能としている。
【００４１】
左右一対のボタン付勢スプリング４７は、防水用密着面４５と同一平面内で蛇行させて開放用押しボタン４３の端部にこれを形成しており、ボタン本体４４からボタン軸４６をこえた部位に位置するそれぞれの端部に当接軸部４９を起立させている。
とくに図４に示すように、それぞれの当接軸部４９がプリンターハウジング２の内壁面２Ａに当接して、左右一対のボタン付勢スプリング４７が撓むことにより、その付勢力を発揮して開放用押しボタン４３の防水用密着面４５をプリンターハウジング２の内壁面２Ａに密着可能とする。
換言すれば、開放用押しボタン４３のボタン軸４６は、ボタン付勢スプリング４７と防水用密着面４５との間に位置してこれを設けて、防水用密着面４５がプリンターハウジング２の内壁面２Ａに密着させるように、ボタン付勢スプリング４７が開放用押しボタン４３を付勢可能としている。
なおボタン付勢スプリング４７を蛇行して形成することにより、所定の付勢力を得るための必要な長さを狭い空間内で得ることが可能となり、かつ、ボタン本体４４と一体形成することにより、とくに小型軽量に製造する必要があるこの種携帯式プリンター２０に有利である。
【００４２】
図４（１）、（２）、（３）は、開放用押しボタン４３のボタン本体４４およびボタン付勢スプリング４７を模式的に描いた平面説明図である。ただし、ボタン付勢スプリング４７の可撓性は、それぞれ同程度とする。
図４（１）は、ボタン付勢スプリング４７の当接軸部４９がプリンターハウジング２の内壁面２Ａに当接する場合の説明図であって、ボタン付勢スプリング４７による付勢力は、後述する図４（２）および図４（３）の場合よりも小さい。
図４（２）は、ボタン付勢スプリング４７に当接軸部４９を形成せずに、そのスプリング先端部分４７Ａ（図中、ハッチングで示している部分）がプリンターハウジング２の内壁面２Ａに当接する場合（あるいは、ボタン付勢スプリング４７に当接軸部４９を形成してもプリンターハウジング２の内壁面２Ａに係合凹部（図示せず）を形成して、当接軸部４９がこの係合凹部に係合する場合）の説明図であって、ボタン付勢スプリング４７による付勢力は、中程度である（図４（１）の場合よりも強く、図４（３）の場合よりも弱い）。
図４（３）は、ボタン付勢スプリング４７に当接軸部４９を形成せずに、ボタン付勢スプリング４７全体（図中、ハッチングで示している部分）がプリンターハウジング２の内壁面２Ａに当接する場合の説明図であって、ボタン付勢スプリング４７による付勢力は、図４（２）および図４（３）の場合よりも大きい。
すなわち、プリンターハウジング２の内壁面２Ａに対するボタン付勢スプリング４７の付勢態勢ないしは当接領域を選択することにより、防水用密着面３５に要請される防水機能の程度に応じて必要な付勢力を適宜設計することができる。
【００４３】
とくに図４に示すように、開放用押しボタン４３の裏面側（プリンターハウジング２の内方側）には、前記サーマルヘッド７を保持しているカバーロック５０を前記ヘッド軸１０のまわりに回動可能に設けている。
カバーロック５０には、その上縁部中央に位置して、押込み用突出部４８に対向する部位に当接傾斜プレート５１を一体形成して設けるとともに、サーマルヘッド７を介して反対側に断面ほぼ半円弧状の左右一対の前記プラテンローラーロック係合部１２を形成している。
なお、カバーロック５０の当接傾斜プレート５１は、開放用押しボタン４３の裏面側に対して接近する方向に傾斜しており、換言すれば、開放用押しボタン４３のプリンターハウジング２に対する当初の押込み方向（プリンターハウジング２の内方に向かって直交する方向）に対して傾斜している。
したがって、開放用押しボタン４３（押込み用突出部４８）からカバーロック５０の当接傾斜プレート５１に作用してヘッド軸１０まわりのカバーロック５０の回動操作に働く分力を比較的大きくすることができ、開放用押しボタン４３への操作力自体を比較的少ないものとすることができる。
【００４４】
プラテンローラーロック係合部１２には、プラテンローラー８の左右一対の前記ロックピン１４が係脱可能である。ロックピン１４がプラテンローラーロック係合部１２に係合した状態で、プラテンローラー８がサーマルヘッド７に所定押圧力（印字圧力）で当接可能であり、その間に挟持するラベル連続体９への印字が可能な状態となる。
【００４５】
ボタン本体４４の裏面側に位置する押込み用突出部４８は、このカバーロック５０の当接傾斜プレート５１に対向しており、ボタン付勢スプリング４７の付勢力に抗したボタン軸４６まわりの開放用押しボタン４３の図４中、時計方向（第１の回動方向）の回動により、押込み用突出部４８が当接傾斜プレート５１を押圧し、さらにヘッド付勢スプリング１１の付勢力に抗してヘッド軸１０まわりにカバーロック５０をサーマルヘッド７とともに、図４中、反時計方向（第１の回動方向とは反対方向の第２の回動方向）に回動させる。
したがって、プラテンローラー８のロックピン１４がカバーロック５０のプラテンローラーロック係合部１２から離脱した状態となり、サーマルヘッド７およびプラテンローラー８とを互いに離反させ、その間にラベル連続体９を装填可能となる。
かくして、開放用押しボタン４３の回動により、当接傾斜プレート５１を介してカバーロック５０をプラテンローラー８から離反可能としている。
【００４６】
また、プラテンローラーロック係合部１２の上方端部には、前記テーパー面１６を形成してあり、開閉カバー３の閉鎖作動時にプラテンローラー８のロックピン１４がテーパー面１６に当接したのち、プラテンローラーロック係合部１２に係合しやすくしている。
【００４７】
とくに図４に示すように、開放用押しボタン４３における防水用密着面４５の下方側先端部は、用紙切断用端部５２としてあり、用紙切断用端部５２がサーマルヘッド７およびプラテンローラー８の間から発行口５３に移送されてきたラベル連続体９に対向し、所定の部位でラベル連続体９（台紙３４、ラベル片３５）を切断可能である。
なお、開放用押しボタン４３（用紙切断用端部５２）の材料としては、ラベル連続体９その他の印字用紙の種類に応じて、一般的には所定の剛性および弾性を有する合成樹脂材料を採用することができる。
【００４８】
さらに、とくに図３に示すように、当該携帯式プリンター２０は、サーマルヘッド７がプラテンローラー８より上方に位置するようにこれを携帯可能であるとともに、とくに図４に示すように、開放用押しボタン４３の下方側先端部（用紙切断用端部５２）は、プ開閉カバー３より外方側に位置している。
すなわち、用紙切断用端部５２が開閉カバーの先端部２の外表面より、わずかに（図４に示す間隔Ｄ）分だけ外方側に位置していることにより、雨天その他の時に開放用押しボタン４３を伝って水滴Ｗが用紙切断用端部５２に至っても、庇のように出ている用紙切断用端部５２から開閉カバー３に触れることなく地上に垂れ落ちるのみであり、プリンターハウジング２内に侵入するおそれは軽減されている。
このような開閉カバー３の閉鎖状態においては、開閉カバー開閉装置３１における開放用押しボタン４３は、そのボタン本体４４は外部に露出しているが、かつその開放操作自体は確保されているが、ボタン付勢スプリング４７の付勢力により防水用密着面４５がプリンターハウジング２の内壁面２Ａに所定押圧力で密着しているため、この部分からの水の侵入を防止可能である。
【００４９】
こうした構成の携帯式プリンター２０の開閉カバー開閉装置３１において、図１に示す開閉カバー３の閉鎖状態から、図２に示す開閉カバー３の開放状態にするには、ボタン付勢スプリング４７（図２、図４）の付勢力に抗して開放用押しボタン４３をプリンターハウジング２の内方に押し込む。
開放用押しボタン４３の押込み操作により、押込み用突出部４８がカバーロック５０の当接傾斜プレート５１を、ヘッド付勢スプリング１１の付勢力に抗してヘッド軸１０まわりに、開放用押しボタン４３の押込み用突出部４８の回動移動に沿うように、図４中、反時計方向に回動させ、プラテンローラーロック係合部１２とロックピン１４との係合を解除してプラテンローラー８を開閉カバー３とともに図２の開放状態とし、サーマルヘッド７およびプラテンローラー８の間にラベル連続体９を挿通装填可能とする。
この開放状態で供給部２１内にロール状のラベル連続体９を収納し、開閉カバー３をプリンターハウジング２方向に閉鎖すればプラテンローラー８のロックピン１４がカバーロック５０のテーパー面１６に当接する。ヘッド付勢スプリング１１の付勢力に抗して開閉カバー３（プラテンローラー８）をさらに閉鎖方向に押し込めば、ロックピン１４がプラテンローラーロック係合部１２に係合するに至り、開閉カバー３を閉鎖し、またサーマルヘッド７およびプラテンローラー８の間にラベル連続体９を挟持して、これを押圧した状態とすることができる。
【００５０】
かくして、開閉用押しボタン４３による開閉カバー３の開放操作を比較的少ない力で行うことができ、開閉用押しボタン４３やカバーロック５０（当接傾斜プレート５１）などの部品の摩耗や損傷を回避可能として、屋外での携帯式プリンター２０の使用にあたっても操作の容易性を確保可能である。
もちろん、卓上型プリンターその他のプリンターにも本発明による開閉カバー開閉装置を採用することが可能である。
【００５１】
さらにまた、上述の実施例においては、印字ヘッド（サーマルヘッド７）は、これをプリンターハウジング２に取り付け、プラテンローラー８は、これを開閉カバー３に取り付けているとともに、開放用押しボタン４３は、プリンターハウジング２に対してこれを回動可能とし、印字ヘッド（サーマルヘッド７）は、これをカバーロック５０に取り付けている構造を説明したが、本発明においては、プリンターの使用条件や使用形態に応じて、それぞれの部品ないし相対関係について任意の組み合わせを選択することにより設計の自由度を上げることができる。
たとえば、印字ヘッド（サーマルヘッド７）は、これを開閉カバー３に取り付け、プラテンローラー８は、これをプリンターハウジング２に取り付けることができる。
あるいは、開放用押しボタン４３は、開閉カバー３に対してこれを回動可能とすることもできる。
さらに、プラテンローラー８は、これをカバーロック５０に取り付けることもできる。
【符号の説明】
【００５２】
１  携帯式プリンター（図６）
２  プリンターハウジング
２Ａ  プリンターハウジング２の内壁面（図４）
３  開閉カバー
４  印字部
５  開閉用押しボタン
６  カバーロック
７  サーマルヘッド（印字ヘッド）
７Ａ  サーマルヘッド７の発熱素子
８  プラテンローラー
９  ラベル連続体（印字用紙）
１０  サーマルヘッド７のヘッド軸
１１  ヘッド付勢スプリング
１２  プラテンローラーロック係合部
１３  プラテンローラー軸
１４  ロックピン
１５  被押圧プレート
１６  テーパー面
１７  開閉カバー３のカバー軸
２０  携帯式プリンター（プリンター、実施例、図１）
２１  供給部
２２  位置検出部
２３  印字部
２４  充電バッテリー
２５  バッテリー収納室
２６  アダプター接続端子
２７  入力部
２８  表示部
２９  制御部
３０  電源スイッチ
３１  携帯式プリンター２０の開閉カバー開閉装置（実施例、図４）
３２  ベルト掛け部
３３  肩掛けベルト
３４  ラベル連続体９の台紙
３５  ラベル片
３６  位置検出用マーク
３７  位置検出センサー
３８  駆動モーター
３９  プラテンローラー８のプラテンローラーギア
４０  連結ギア
４１  ＡＣアダプター
４２  エラストマーなどによるクッション材
４３  開放用押しボタン
４４  開放用押しボタン４３のボタン本体
４５  開放用押しボタン４３の防水用密着面
４６  開放用押しボタン４３のボタン軸
４７  開放用押しボタン４３のボタン付勢スプリング
４７Ａ  ボタン付勢スプリング４７のスプリング先端部分（図４（２））
４８  開放用押しボタン４３の押込み用突出部
４９  ボタン付勢スプリング４７の当接軸部
５０  カバーロック
５１  カバーロック５０の当接傾斜プレート
５２  開放用押しボタン４３の用紙切断用端部
５３  印字済みラベル連続体９の発行口
Ｄ    開放用押しボタン４３の用紙切断用端部５２と開閉カバー３の先端部の外表面との間の間隔（図４）
Ｗ    雨天その他の時に開放用押しボタン４３を伝って用紙切断用端部５２に至る水滴
【図１】
2014188705.tif 000003
【図２】
2014188705.tif 000004
【図３】
2014188705.tif 000005
【図４】
2014188705.tif 000006
【図５】
2014188705.tif 000007
【図６】
2014188705.tif 000008